(57)【特許請求の範囲】
【請求項１】
複数の被制御端末と、有線インタフェースおよび無線通信インタフェースを介して接続可能な制御端末とを有する、通信システムにおいて、
ブルートゥース規格の前記制御端末は、
ブルートゥース規格の前記被制御端末の一つと接続を確立するにあたり、通信ケーブルにより選択された前記被制御端末との間で有線リンクを確立し、前記有線インタフェースを介して接続される前記被制御端末から固有の識別情報であるＭＡＣアドレスを取得して記憶し、
前記被制御端末の固有の識別情報が取得されて追記されるＩＤテーブルを有し、前記複数の被制御端末の固有の識別情報を記憶する記憶部を備え、
前記制御端末は、複数の前記識別情報が前記記憶部に記憶されたとき、前記識別情報の選択操作が行われ、選択された一の前記識別情報で特定される前記被制御端末との間で、続いて行われる無線リンクの確立後、前記無線通信インタフェースを介して当該被制御端末と無線通信を行ない、
前記制御端末の制御部は、前記記憶部を参照し、前記特定される前記一の被制御端末を選択して前記無線リンクを確立し、前記無線リンクが確立された選択された一の前記被制御端末に対し、前記制御端末の利用者を想起させる表示情報を送信し、前記選択された一の前記被制御端末の表示部に、前記表示情報を単独で表示させ、
前記制御部は、アプリケーションプログラムを実行中に前記無線通信が遮断されると、前記アプリケーションプログラムを使用して前記無線リンクを確立するための再試行を行なう、
ことを特徴とする通信システム。
【請求項２】
前記被制御端末は、決済用記録媒体から情報を読み取る記録媒体読み取り部を更に有する、
ことを特徴とする請求項１記載の通信システム。
【請求項３】
複数の被制御端末と、有線インタフェースおよび無線通信インタフェースを介して接続可能な制御端末とを有する、通信システムの接続設定方法であって、
ブルートゥース規格の前記制御端末は、
ブルートゥース規格の前記被制御端末の一つと接続を確立するにあたり、通信ケーブルにより選択された被制御端末との間で有線リンクを確立し、前記有線インタフェースを介して接続される前記被制御端末から固有の識別情報であるＭＡＣアドレスを取得して記憶するステップと、
前記制御端末が備え、前記複数の被制御端末の固有の識別情報を記憶する記憶部が有するＩＤテーブルに対して、前記被制御端末の固有の識別情報を取得して追記するステップと、
前記制御端末は、複数の前記識別情報が記憶されたとき、前記識別情報の選択操作が行われ、選択された一の識別情報で特定される被制御端末との間で、続いて行われる無線リンクの確立後、前記無線通信インタフェースを介して当該被制御端末と無線通信を行なうステップと、
前記制御端末の制御部は、前記記憶部を参照し、前記特定される前記一の被制御端末を選択して前記無線リンクを確立し、前記無線リンクが確立された選択された一の前記被制御端末に対し、前記制御端末の利用者を想起させる表示情報を送信するステップと、
前記選択された一の前記被制御端末の表示部に、前記表示情報を単独で表示させるステップと、
前記制御部は、アプリケーションプログラムを実行中に前記無線通信が遮断されると、前記アプリケーションプログラムを使用して前記無線リンクを確立するための再試行を行なうステップとを有する、
ことを特徴とする通信システムの接続設定方法。
【請求項４】
コンピュータにより実行され、複数の被制御端末と、有線インタフェースおよび無線通信インタフェースを介して接続可能な制御端末とを有する、通信システムのプログラムであって、
前記コンピュータに、
ブルートゥース規格の前記制御端末は、
ブルートゥース規格の前記被制御端末の一つと接続を確立するにあたり、通信ケーブルにより選択された被制御端末との間で有線リンクを確立し、前記有線インタフェースを介して接続される前記被制御端末から固有の識別情報であるＭＡＣアドレスを取得して記憶する処理と、
前記制御端末が備え、前記複数の被制御端末の固有の識別情報を記憶する記憶部が有するＩＤテーブルに対して、前記被制御端末の固有の識別情報を取得して追記する処理と、
前記制御端末は、複数の前記識別情報が記憶されたとき、前記識別情報の選択操作が行われ、選択された一の識別情報で特定される被制御端末との間で、続いて行われる無線リンクの確立後、前記無線通信インタフェースを介して当該被制御端末と無線通信を行なう処理と、
前記制御端末の制御部は、前記記憶部を参照し、前記特定される前記一の被制御端末を選択して前記無線リンクを確立し、前記無線リンクが確立された選択された一の前記被制御端末に対し、前記制御端末の利用者を想起させる表示情報を送信する処理と、
前記選択された一の前記被制御端末の表示部に、前記表示情報を単独で表示させる処理と、を実行させる、
ことを特徴とする通信システムのプログラム。
【発明の詳細な説明】
【技術分野】
【０００１】
本発明は、例えば、決済システムに用いて好適な、制御端末、被制御端末、通信システム、同システムの接続設定方法、およびプログラムに関する。
【背景技術】
【０００２】
デジタル機器用の近距離無線通信規格の一つとしてＢｌｕｅＴｏｏｔｈ（登録商標）が知られている。このＢｌｕｅＴｏｏｔｈにより、数ｍから数十ｍ程度の距離にある情報機器間で２．４ＧＨｚ帯の電波を使用して簡易な情報のやりとりを行うことができる。ＢｌｕｅＴｏｏｔｈは、ＰＣの周辺機器、携帯電話、スマートフォン、オーディオプレーヤ、ヘッドセット（以降、これらを総称してＢｌｕｅＴｏｏｔｈ機器という）等、主にパーソナル機器で普及している。
【０００３】
ところで、上記したＢｌｕｅＴｏｏｔｈ機器を最初に使用する際には接続相手を特定するために、「ペアリング」と称する操作が必要とされる。ペアリング操作とは、２つのＢｌｌｕｅｔｏｏｔｈ機器に対して接続設定を行うためにそれぞれのＩＤを交換することをいう。例えば、特許文献１に、無線リモコンとテレビジョン受像機との間で双方のＩＤを交換することによりペアリング操作を行う技術が開示されている。特許文献１には、手入力による方法と、ＵＳＢケーブルにより自動的に取得する方法が紹介されている。
【先行技術文献】
【特許文献】
【０００４】
【特許文献１】特開２００９−０４９５９０号公報
【発明の開示】
【発明が解決しようとする課題】
【０００５】
ＢｌｕｅＴｏｏｔｈは、上記したようにパーソナル機器を中心に普及し、業務処理用での利用数は少ない。例えば、限られたエリア内に業務処理用のＢｌｕｅＴｏｏｔｈ機器（被制御端末）が大量にあって、これを多くの利用者が持つ携帯端末（制御端末）との組み合わせで使用するシーンを想定する。この場合、携帯端末は、一旦、ペアリング操作によって特定のＢｌｕｅＴｏｏｔｈ機器との間で接続が確立されても、例えば、机に放置する等、後の使用形態によっては組み合わせが入れ子（ネスティング）状態になってしまい、その携帯端末が他人のセットであるＢｌｕｅＴｏｏｔｈ機器に接続されることがありうる。したがってセキュアな用途での使用には適さない。
【０００６】
また、一旦接続が確立された携帯端末とＢｌｕｅＴｏｏｔｈ機器とのセットは、電波障害等により一旦通信が途絶えると、ペアリングのための再設定を必要とする。このため、一旦アプリケーションを終了し、設定パネルを開いてペアリングの再設定を行った後、アプリケーションを起動して通信を再開し、カードを読み取る等の煩雑な操作が要求される。このため、利用者の負担が大きく、したがってペアリング等の接続設定操作の容易化が望まれていた。
【０００７】
本発明は上記した課題を解決するためになされたものであり、ペアリング等の接続設定操作を容易化し、セキュアな用途での使用を可能にした、制御端末、被制御端末、通信システム、同システムの接続設定方法、およびプログラムを提供することを目的とする。
【課題を解決するための手段】
【０００８】
上記した課題を解決するために本発明の第１の観点に係る通信システムは、複数の被制御端末と、有線インタフェースおよび無線通信インタフェースを介して接続可能な制御端末とを有する、通信システムにおいて、ブルートゥース規格の前記制御端末は、ブルートゥース規格の前記被制御端末の一つと接続を確立するにあたり、通信ケーブルにより選択された前記被制御端末との間で有線リンクを確立し、前記有線インタフェースを介して接続される前記被制御端末から固有の識別情報であるＭＡＣアドレスを取得して記憶し、前記被制御端末の固有の識別情報が取得されて追記されるＩＤテーブルを有し、前記複数の被制御端末の固有の識別情報を記憶する記憶部を備え、前記制御端末は、複数の前記識別情報が前記記憶部に記憶されたとき、前記識別情報の選択操作が行われ、選択された一の前記識別情報で特定される前記被制御端末との間で、続いて行われる無線リンクの確立後、前記無線通信インタフェースを介して当該被制御端末と無線通信を行ない、前記制御端末の制御部は、前記記憶部を参照し、前記特定される前記一の被制御端末を選択して前記無線リンクを確立し、前記無線リンクが確立された選択された一の前記被制御端末に対し、前記制御端末の利用者を想起させる表示情報を送信し、前記選択された一の前記被制御端末の表示部に、前記表示情報を単独で表示させ、前記制御部は、アプリケーションプログラムを実行中に前記無線通信が遮断されると、前記アプリケーションプログラムを使用して前記無線リンクを確立するための再試行を行なう。
【０００９】
本発明において、第１の観点に係る前記通信システムの被制御端末は、決済用記録媒体から情報を読み取る記録媒体読み取り部を更に有する。
【００１０】
本発明の第２の観点に係る通信システムの接続設定方法は、複数の被制御端末と、有線インタフェースおよび無線通信インタフェースを介して接続可能な制御端末とを有する、通信システムの接続設定方法であって、ブルートゥース規格の前記制御端末は、ブルートゥース規格の前記被制御端末の一つと接続を確立するにあたり、通信ケーブルにより選択された被制御端末との間で有線リンクを確立し、前記有線インタフェースを介して接続される前記被制御端末から固有の識別情報であるＭＡＣアドレスを取得して記憶するステップと、前記制御端末が備え、前記複数の被制御端末の固有の識別情報を記憶する記憶部が有するＩＤテーブルに対して、前記被制御端末の固有の識別情報を取得して追記するステップと、前記制御端末は、複数の前記識別情報が記憶されたとき、前記識別情報の選択操作が行われ、選択された一の識別情報で特定される被制御端末との間で、続いて行われる無線リンクの確立後、前記無線通信インタフェースを介して当該被制御端末と無線通信を行なうステップと、前記制御端末の制御部は、前記記憶部を参照し、前記特定される前記一の被制御端末を選択して前記無線リンクを確立し、前記無線リンクが確立された選択された一の前記被制御端末に対し、前記制御端末の利用者を想起させる表示情報を送信するステップと、前記選択された一の前記被制御端末の表示部に、前記表示情報を単独で表示させるステップと、前記制御部は、アプリケーションプログラムを実行中に前記無線通信が遮断されると、前記アプリケーションプログラムを使用して前記無線リンクを確立するための再試行を行なうステップとを有する。
【００１１】
本発明の第３の観点に係る通信システムのプログラムは、コンピュータにより実行され、複数の被制御端末と、有線インタフェースおよび無線通信インタフェースを介して接続可能な制御端末とを有する、通信システムのプログラムであって、前記コンピュータに、ブルートゥース規格の前記制御端末は、ブルートゥース規格の前記被制御端末の一つと接続を確立するにあたり、通信ケーブルにより選択された被制御端末との間で有線リンクを確立し、前記有線インタフェースを介して接続される前記被制御端末から固有の識別情報であるＭＡＣアドレスを取得して記憶する処理と、前記制御端末が備え、前記複数の被制御端末の固有の識別情報を記憶する記憶部が有するＩＤテーブルに対して、前記被制御端末の固有の識別情報を取得して追記する処理と、前記制御端末は、複数の前記識別情報が記憶されたとき、前記識別情報の選択操作が行われ、選択された一の識別情報で特定される被制御端末との間で、続いて行われる無線リンクの確立後、前記無線通信インタフェースを介して当該被制御端末と無線通信を行なう処理と、前記制御端末の制御部は、前記記憶部を参照し、前記特定される前記一の被制御端末を選択して前記無線リンクを確立し、前記無線リンクが確立された選択された一の前記被制御端末に対し、前記制御端末の利用者を想起させる表示情報を送信する処理と、前記選択された一の前記被制御端末の表示部に、前記表示情報を単独で表示させる処理と、を実行させる。
【発明の効果】
【００１８】
本発明によれば、ペアリング等の接続設定操作を容易化し、セキュアな用途での使用を可能にした、制御端末、被制御端末、通信システム、同システムの接続設定方法、およびプログラムを提供することができる。
【図面の簡単な説明】
【００１９】
【図１】本発明の実施の形態に係る通信システムの接続形態を示す略図である。
【図２】本発明の実施の形態に係る通信システムの動作シーケンス図である。
【図３】本発明の実施の形態に係る被制御端末に表示されるログイン名の一例を示す図である。
【図４】本発明の実施の形態に係る制御端末の内部構成を示すブロック図である。
【図５】本発明の実施の形態に係る被制御端末の内部構成を示すブロック図である。
【図６】本発明の実施の形態に係る制御端末の動作を示すフローチャートである。
【図７】本発明の実施の形態に係る被制御端末の動作を示すフローチャートである。
【発明を実施するための形態】
【００２０】
以下、添付図面を参照して、本発明を実施するための形態（以下、本実施形態という）について詳細に説明する。なお、本実施形態の説明の全体を通して同じ要素には同じ番号を付している。
【００２１】
まず、図１を用いて本実施形態に係る通信システム１の接続形態について説明する。図１に示すように、本実施形態に係る通信システム１は、電波到達範囲の限られたエリア内に複数存在するタブレット端末１０（制御端末）と決済専用端末２０（被制御端末）との間で選択されたセット（組み合わせ）で、無線通信により決済を実現するシステムである。決済専用端末２０は、クレジットカード、銀行カードに加え、デビットカードや電子マネーに対応したマルチ決済可能なモバイル機器である。複数の決済専用端末２０と、決済専用アプリがインストールされた複数のタブレット端末１０とが無線インタフェースを介して接続される。なお、後述するように、接続設定（ペアリング）時にのみ有線インタフェースを介して接続されるものとする。
【００２２】
それぞれのタブレット端末１０は、複数ある決済専用端末２０のいずれにも接続可能である。このため、決済に先立ち、使用する決済専用端末２０を選択して接続設定用に通信ケーブル３０による有線接続を行ない、接続設定がなされて以降は、無線による決済のための通信が行われる。このため、タブレット端末１０，決済専用端末２０ともに、ＵＳＢ（Universal Serial Bus）を有線インタフェースとし、ＢｌｕｅＴｏｏｔｈを無線インタフェースとして使用するものとし、そのためのインタフェース回路がそれぞれに内蔵されている。
【００２３】
上記構成の通信システム１の概略動作について、図２のシーケンス図を参照しながら簡単に説明する。図２に示すように、タブレット端末１０を所持しているユーザは、特定の決済専用端末２０との間で接続を試みるために、まずは、通信ケーブル３０を相手の決済専用端末２０のＵＳＢポートに接続し（ステップＳ１０）、有線リンクを確立する（ステップＳ１１）。次に、タブレット端末１０は、有線接続された特定の決済専用端末２０に対してＩＤ取得要求を発行（送信）する（ステップＳ１２）。ＩＤ取得要求を受信した決済専用端末２０は、ＭＡＣ（Media Access Control）アドレス等、自身に固有のＩＤを通信ケーブル３０経由で要求のあったタプレット端末１０へ送信する（ステップＳ１３）。
【００２４】
続いて、タブレット端末１０は、先に取得したＩＤにより特定される決済専用端末２０との間で、ＢｌｕｅＴｏｏｔｈを用いた無線による接続を確立するために無線接続要求を発行し（ステップＳ１４）、無線リンク確立後（ステップＳ１５）、無線通信を用いた決済処理を行う（ステップＳ１７）。なお、無線リンクが確立されると、例えば、図３に示すように、無線接続された決済専用端末２０の表示部に対し、利用者を想起させる、例えば、ログイン名が表示される。このことにより、限られたエリア内に多数あるタブレット端末１０と決済専用端末２０とのセットの中で、自身が所持するタブレット端末１０が接続されている決済専用端末２０がどれであるか認識することができる。
【００２５】
図４にタブレット端末１０の構成が、図５に決済専用端末２０の構成が、それぞれ示されている。図４によれば、タブレット端末１０は、制御部１１と、記憶部１２と、タッチパネル１３と、有線通信部１４と、近距離無線通信部１５とが、アドレス、データ、コントロールのためのラインが複数本で構成されるバス１６を介して共通接続されている。
【００２６】
制御部１１は、記憶部１２に格納されたプログラム（ＯＳ、アプリケーションプログラム等）に基づいて処理を実行するコンピュータ（マイクロプロセッサ）を備えており、このプログラムにおいて指示された手順に従って処理を行う。具体的に、制御部１１は、決済専用端末２０の一つと接続を確立するにあたり、はじめに通信ケーブル３０により有線インタフェース（有線通信部１４）を介して接続される決済専用端末２０から固有の識別情報を取得し、取得した固有の識別情報により特定される決済専用端末２０との間で続いて行われる無線リンクの確立後、無線通信インタフェース（近距離無線通信部１５）を介して無線通信を行なう。
【００２７】
このとき、制御部１１は、無線リンクが確立された一つの決済専用端末２０に対し、自身を想起させる任意の表示情報を送信する。なお、制御部１１は、複数の決済専用端末２０のＩＤが記憶される記憶部１２を参照し、特定される一つの決済専用端末２０を選択して無線リンクを確立してもよい。また、制御部１１は、アプリケーションプログラムを実行中に無線通信が遮断されると、そのアプリケーションプログラムを使用して無線リンクを確立するための再試行を行ってもよい。
【００２８】
記憶部１２には、アプリケーションプログラムの他、制御部１１において処理に利用される各種データが保持される。ここでは、所定の領域に決済専用端末に固有の識別情報（ＩＤ）が複数記憶される（ＩＤ記憶テーブル１２０）。記憶部１２は、例えば不揮発性の記憶デバイス（不揮発性半導体メモリ、ハードディスク装置、光ディスク装置など）やランダムアクセス可能な記憶デバイス（例えば、ＳＲＡＭ、ＤＲＡＭ）などによって構成される。
【００２９】
タッチパネル１３は、例えば、投影型静電容量方式のタッチパネルであって、液晶表示パネルあるいは有機ＥＬパネルに対する使用者の操作を検出する。タッチパネル１３はこれらパネルの内側主面に貼り付けられており、互いに対向配置されたシート状の２つの電極センサーを備えている。２つの電極センサーは透明粘着性シートによって貼り合わされている。一方の電極センサーには、それぞれがＸ軸方向に沿って延在し、かつ互いに平行に配置された複数の細長いＸ電極が形成されている。他方の電極センサーには、それぞれがＹ軸方向に沿って延在し、かつ互いに平行に配置された複数の細長いＹ電極が形成されている。パネルに対して使用者の指が接触すると、その接触箇所の下にあるＸ電極及びＹ電極の間の静電容量が変化することによって、タッチパネル１３においてパネルの表示部分に対する操作が検出される。
【００３０】
タッチパネル１３において生じる、Ｘ電極及びＹ電極の間の静電容量変化は制御部１１に伝達され、制御部１１はその静電容量変化に基づいてパネルの表示部分に対して行われた操作の内容を特定し、それに応じた動作を行う。
【００３１】
なお、有線通信部１４は、ＵＳＢ（Universal Serial Bus）ケーブル（通信ケーブル３０）による有線接続のためのバスインタフェース回路であり、近距離無線通信部１５は、ＢｌｕｅＴｏｏｔｈ規格に準拠して近距離無線通信を行う通信アダプタである。なお、有線通信部１４は、ＲＳ２３２Ｃインタフェース回路で代替してもよい。この場合、使用される通信ケーブル３０は、ＵＳＢケーブルに代わってＲＳ２３２Ｃケーブルになる。
【００３２】
図５によれば、決済専用端末２０は、制御部２１と、記憶部２２と、操作部２３と、表示部２４と、媒体読み取り部としてのカードリーダ（ＣＲ２５）と、有線通信部２６と、近距離無線通信部２７と、ネットワークインタフェース部（ＮＩＣ２８）とが、アドレス、データ、コントロールのためのラインが複数本で構成されるバス２９を介して共通接続されている。
【００３３】
制御部２１は、タブレット端末１０の一つと接続を確立するにあたり、はじめに、通信ケーブル３０により有線インタフェース（有線通信部２６）を介して接続されたタブレット端末１０からの要求に基づき自身の固有のＩＤ（ＭＡＣアドレス）を送信し、続いて行われる、ＩＤを受信したタブレット端末１０との間で無線リンクの確立後、無線通信インタフェース（近距離無線通信部２６）を介して無線通信を行う。
【００３４】
制御部２１は、無線リンクが確立されると、タブレット端末１０から送信されるログイン名等、利用者を想起させる任意の表示情報を表示部２４に表示する。
【００３５】
記憶部２２には、決済処理を実行する業務プログラムの他、制御部２１において処理に利用される各種データが保持される。記憶部２２は、例えば不揮発性の記憶デバイス（不揮発性半導体メモリ、ハードディスク装置、光ディスク装置など）やランダムアクセス可能な記憶デバイス（例えば、ＳＲＡＭ、ＤＲＡＭ）などによって構成される。
【００３６】
操作部２３は、押しボタン式の各種のキーを備えたもので、制御部２１は、この操作部２３からの入力操作信号に応じたアプリケーションを実行する。
【００３７】
表示部２４は、例えば、高精細ＬＣＤ（Liquid  Crystal  Device）ディスプレイ、有機ＥＬ（Electro  Luminescence）ディスプレイ、電気泳動型ディスプレイ（電子ペーパ）のいずれかを使用し、画像を高精細に表示する。なお、この表示部２４の表面に指の接触を検出する透明なタッチパネルを積層配設することにより、例えば、静電容量方式のタッチスクリーン（タッチ画面）を構成するようにしてもよい。
【００３８】
カードリーダ２５は、クレジットカード、銀聯カード、デビットカードや電子マネーに対応したカードから情報を読み取って制御部２１へ出力する。ＮＩＣ２８は、図示省略した通信網経由でそれぞれのカード事業者が運営するサーバに接続するためのネットワークインタフェースである。
【００３９】
有線通信部２６は、ＵＳＢ（Universal Serial Bus）ケーブル（通信ケーブル３０）による有線接続のためのバスインタフェース回路であり、近距離無線通信部２７は、ＢｌｕｅＴｏｏｔｈ規格に準拠して近距離無線通信を行うアダプタである。
【００４０】
（実施形態の動作）
以下、図６，図７に示すフローチャートを参照しながら、本実施形態に係る制御端末（タブレット端末１０）、および被制御端末（決済専用端末２０）の動作について詳細に説明する。
【００４１】
まず、タブレット端末１０の動作から説明する。図６に示すように、タブレット端末１０は、制御部１１が、複数の決済専用端末２０からＩＤ取得のために使用される内部に割り当てたカウンタｉを初期化する（ステップＳ１０１）。続いて、制御部１１は、通信ケーブル３０により接続される、決済に使用する選択された一台の決済専用端末２０との間で互いの有線通信部１４，２６を介して有線リンクを確立するための手続きを行う。ここで、有線リンクが確立されると（ステップＳ１０２“ＹＥＳ”）、制御部１１は、その決済専用端末２０に対してＩＤ取得要求を発行する（ステップＳ１０３）。
【００４２】
ＩＤ取得要求を受信した決済専用端末２０は、タブレット端末１０により送信されたＩＤ取得要求の応答として、通信ケーブル３０を介して自身固有のＩＤであるＭＡＣアドレスを送信する。ＭＡＣアドレスを有線通信部１４で受信（ステップＳ１０４“ＹＥＳ”）したタブレット端末１０の制御部１１は、カウンタｉを＋１更新して（ステップＳ１０５）、記憶部１２の所定の領域に記憶する（ステップＳ１０６）。ＩＤは、複数記憶することができる。すなわち、タッチパネル１３を操作することによるＩＤの選択操作がなければ（ステップＳ１０７“ＮＯ”）、ステップＳ１０３のＩＤ取得要求発行処理に戻り、制御部１１は、繰り返しＩＤ取得要求を発行し、取得したＩＤを記憶部１２のＩＤテーブル１２０に追記する。この場合、タブレット端末１０は、事前に通信ケーブル３０により他の決済専用端末２０に接続されている必要がある。
【００４３】
利用者によるＩＤ選択操作があれば（ステップＳ１０７“ＹＥＳ”）、制御部１１は、選択されたＩＤを有する決済専用端末２０に無線接続要求を発行し（ステップＳ１０８）、選択された決済専用端末２０との間で近距離無線通信部１５により無線リンク確立のための手続きを行う。ここでは、ログイン名、パスワード等の入力が行われ、無線リンクが確立されると（ステップＳ１０９“ＹＥＳ”）制御部１１は、そのログイン名を、選択されて無線接続された決済専用端末２０に無線送信する（ステップＳ１１０）。ここで送信されたログイン名は、受信した決済専用端末２０の表示部（図５の２４）に表示される。
【００４４】
続いて、制御部１１は、決済アプリの実行を行う（ステップＳ１１１）。決済アプリの実行中（ステップＳ１１２“ＮＯ”）、輻輳等の電波環境により通信遮断が発生すると（ステップＳ１１３“ＹＥＳ”）、制御部１１は、その決済アプリの中で、無線接続されている決済処理中のｉ＝ｉ（ｘ）に相当する決済専用端末２０との間で無線リンク確立のための再試行（リトライ）を行う（ステップＳ１１４）。決済アプリが終了すると（ステップＳ１１２“ＹＥＳ”）、上記したタブレット端末１０による一連の決済処理が終了する。
【００４５】
次に、決済専用端末２０の動作について説明する。図７に示すように、決済専用端末２０では、制御部２１が、通信ケーブル３０により接続される、決済に使用する選択された一台のタブレット端末１０との間で互いの有線通信部１４，２６を介して有線リンクを確立するための手続きを行う。ここで、有線リンクが確立されると（ステップＳ２０１“ＹＥＳ”）、制御部２１は、タブレット端末１０から送信されるＩＤ取得要求を受信し（ステップＳ２０２“ＹＥＳ”）、その応答として自身のＭＡＣアドレスを固有のＩＤとして送信する（ステップＳ２０３）。
【００４６】
続いて制御部２１は、タブレット端末１０が発行する無線接続要求を受信すると（ステップＳ２０４“ＹＥＳ”）、タブレット端末１０との間で近距離無線通信部２７を使用して無線リンク確立のための手続きを行う（ステップＳ２０５）。ここでは、セットのタブレット端末１０から送信されるログイン名を受信すると（ステップＳ２０６“ＹＥＳ”）、表示部２４にそのログイン名を表示する（ステップＳ２０７）。
【００４７】
続いて、制御部２１は、セットのタブレット端末１０から決済に必要な入力情報を受信すると（ステップＳ２０８“ＹＥＳ”）、決済のための業務処理を実行する（ステップＳ２０９）。すなわち、制御部２１は、ユーザがタブレット端末１０のタッチパネル１３を操作することにより決済に必要な情報を入力すると、例えば、クレジットカードによる決済の場合、カードリーダ２５でクレジットカードからクレジット決済に必要な情報を読み込み、ネットワークインタフェース部クレジットカード会社のサーバとの間でデータ交換を行う。この決済処理の結果はセットのタブレット端末１０の表示部２４に表示され、決済に伴う一連の業務処理の終了に伴い（ステップＳ２１０“ＹＥＳ”）、決済処理が終了する。
【００４８】
（実施形態の効果）
以上説明のように本実施形態に係る制御端末（タブレット端末１０）によれば、制御部１１は、被制御端末（決済専用端末２０）の一つと接続を確立するにあたり、はじめに通信ケーブル３０により有線インタフェース（有線通信部１４）を介して接続される被制御端末から固有の識別情報（ＭＡＣアドレス）を取得し、取得した固有の識別情報により特定される一つの被制御端末との間で続いて行われる無線リンクの確立後、無線通信インタフェース（近距離無線通信部１５）を介して無線通信を行なう。このため、例えば、限られたエリア内に決済専用端末２０（ＢｌｕｅＴｏｏｔｈ機器）が大量にあって、これを多くの利用者が持つタブレット端末１０とのセットで使用するシーンにおいて、一旦、有線接続により接続される決済専用端末２０のＩＤを取得して以降は、その決済専用端末２０が他人のセットである他の決済専用端末２０に接続されることがなくなり、したがってセキュアな用途での使用が可能になる。
【００４９】
また、本実施形態に係る制御端末（タブレット端末１０）において、制御部１１は、無線リンクが確立された一つの被制御端末（決済専用端末２０）に対し、自身を想起させる任意の表示情報を送信する。したがって、ユーザは、限られたエリア内に多数あるタブレット端末１０と決済専用端末２０とのセットの中で、自身が所持するタブレット端末１０が接続されている決済専用端末２０がどれであるか認識することができ、決済処理に混乱を来すことがなくなる。
【００５０】
また、本実施形態に係る制御端末（タブレット端末１０）において、制御部１１は、複数の被制御端末（決済専用端末２０）の固有の識別情報を記憶する記憶部１２を参照し、特定される一つの被制御端末を選択して無線リンクを確立する。このため、一旦、通信ケーブル３０を接続して得た識別情報を持つ被制御端末（決済専用端末２０）を選択するだけで、一旦、識別情報を取得した複数の決済専用端末との間で、決済を含む業務処理を実行することができ、都度、有線接続して識別情報を取得する手間を省くことができるため接続設定の際のユーザの負担が軽減される。
【００５１】
また、制御部１１は、アプリケーションプログラムを実行中に無線通信が遮断されると、そのアプリケーションプログラムを使用して無線リンクを確立するための再試行を行う。このため、一旦接続が確立された制御端末（タブレット端末１０）と被説魚端末（決済専用端末２０）とのセットは、電波障害等により一旦通信が途絶えても、ペアリング等の接続設定が不要になり、したがっても利用者の負担が軽減される。
【００５２】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更、または改良を加えた形態も本発明の技術的範囲に含まれ得ることが、特許請求の範囲の記載から明らかである。
【符号の説明】
【００５３】
１…通信システム、１０…制御端末（タブレット端末：１１…制御部、１２…記憶部、１３…タッチパネル、１４…有線通信部、１５…近距離無線通信部、１６…バス、２０…被制御端末（決済専用端末：２１…制御部、２２…記憶部、２３…操作部、２４…表示部、２５…カードリーダ（ＣＲ）、２６…有線通信部、２７…近距離無線通信部、２８…ネットワークインタフェース部（ＮＩＣ）、２９…バス）、３０…通信ケーブル
【図１】
0006030588.tif 000002
【図２】
0006030588.tif 000003
【図３】
0006030588.tif 000004
【図４】
0006030588.tif 000005
【図５】
0006030588.tif 000006
【図６】
0006030588.tif 000007
【図７】
0006030588.tif 000008